(57)【要約】【課題】本発明は、画像データ等をネットワーク上のサーバにアップロードする場合であっても画像データ等に関連する情報だけでなく、幅広い分野にわたる情報を自動的に付与可能な画像再生装置を提供する。【解決手段】画像再生装置１００がユーザにより設定されたニュースジャンルとアップロードする画像データの撮影日情報に基づいて、ニュースコンテンツ・サーバ１１０から所定のニュースタイトルを取得する。そして、画像データの撮影時刻と時間帯文言リストに基づいて時間帯文言を決定し、ニュースタイトルと時間帯文言と特定の文言とを連結して文字列を作成する。そして、画像再生装置１００からフォトアルバム・サーバ１２０に画像データをアップロードしたときに、作成した文字列を画像データのタイトルとして付与してフォトアルバム・サーバ１２０に格納する。【選択図】図１０
2008187460.tif 000002
【特許請求の範囲】
【請求項１】
サーバにネットワークを介して接続された画像再生装置において、
前記サーバに前記画像データをアップロードする画像データアップロード手段と、
前記サーバから第１の情報を取得する第１の情報取得手段と、
前記アップロードする画像データに関連する第２の情報を取得する第２の情報取得手段と、
前記取得された第２の情報から関連する文言を決定する文言決定手段と、
前記取得された第１の情報と前記決定された文言に基づいて、前記アップロードする画像データに付与する情報を生成する画像データ付与情報生成手段と、
前記生成された情報を前記アップロードする画像データに関連付けて前記サーバに保存する画像データ情報保存手段とを備えることを特徴とする画像再生装置。
【請求項２】
前記第２の情報取得手段は、前記第２の情報として前記アップロードする画像データの撮影時刻を取得することを特徴とする請求１記載の画像再生装置。
【請求項３】
前記第２の情報取得手段は、前記第２の情報として前記アップロードする画像データのアップロードする日付を取得することを特徴とする請求項１記載の画像再生装置。
【請求項４】
前記第１の情報のジャンルを選択させる情報ジャンル選択手段と、
前記アップロードする画像データの撮影日を取得する撮影日情報取得手段とを更に備え、
前記第１の情報取得手段は、前記選択されたジャンルと前記取得された撮影日に基づいて、前記第１の情報を情報配信可能なサーバから取得することを特徴とする請求項１乃至３のいずれか１項に記載の画像再生装置。
【請求項５】
前記第１の情報のジャンルを選択させる情報ジャンル選択手段と、
前記アップロードする画像データのアップロードする日付を取得するアップロード日付情報取得手段とを更に備え、
前記第１の情報取得手段は、前記選択されたジャンルと前記取得されたアップロードする日付に基づいて、前記第１の情報を情報配信可能なサーバから取得することを特徴とする請求項１又は２記載の画像再生装置。
【請求項６】
前記情報配信可能なサーバはニュースコンテンツ・サーバであり、前記第１の情報はニュースのタイトルであることを特徴とする請求項４又は５記載の画像再生装置。
【請求項７】
前記文言決定手段は、前記第２の情報として前記アップロードする画像データの撮影時刻が取得された場合、前記撮影時刻が含まれる時間帯に対応した少なくとも１つの文言を決定することを特徴とする請求項１又は２記載の画像再生装置。
【請求項８】
前記画像データ付与情報生成手段は、前記アップロードする画像データに付与する情報として、前記取得した第１の情報と前記決定された文言と特定の文言とを連結して文字列を作成することを特徴とする請求項１乃至６のいずれか１項に記載の画像再生装置。
【請求項９】
前記画像データを生成する画像データ生成手段と、前記画像データを表示する表示手段とを更に備えることを特徴とする請求項１乃至６のいずれか１項に記載の画像再生装置。
【請求項１０】
通信機能を備える装置と画像データを管理するサーバとを備える画像データ管理システムにおいて、
前記装置は、前記サーバにアップロードする画像データを選択させる画像データ選択手段と、
前記選択された画像データに関連する情報のジャンルを選択させる情報ジャンル選択手段と、
前記選択されたジャンルと前記選択された画像データを前記サーバにアップロードする画像データアップロード手段とを備え、
前記サーバは、前記選択されたジャンルと前記選択された画像データを受信する画像データ受信手段と、
前記受信した画像データの撮影日を取得する撮影日情報取得手段と、
前記受信したジャンルと前記取得された撮影日に基づいて、ネットワーク上の情報を配信可能なサーバから情報を取得する情報取得手段と、
前記受信した画像データの撮影時刻を取得する撮影時刻取得手段と、
前記取得された撮影時刻から関連する文言を決定する文言決定手段と、
前記取得された情報と前記決定された文言に基づいて、前記受信した画像データに付与する情報を生成する画像データ付与情報生成手段と、
前記生成された情報を前記受信した画像データに関連付けて保存する画像データ情報保存手段とを備えることを特徴とする画像データ管理システム。
【請求項１１】
通信機能を備える装置とデータを管理するサーバとを備える画像データ管理システムの画像データ管理方法において、
前記装置から前記サーバにアップロードする画像データを選択させる画像データ選択工程と、
前記選択された画像データに関連する情報のジャンルを選択させる情報ジャンル選択工程と、
前記選択されたジャンルと前記選択された画像データを前記サーバにアップロードする画像データアップロード工程と、
前記選択されたジャンルと前記選択された画像データを前記サーバから受信する画像データ受信工程と、
前記受信した画像データの撮影日を取得する撮影日情報取得工程と、
前記受信したジャンルと前記取得された撮影日に基づいて、ネットワーク上の情報を配信可能なサーバから情報を取得する情報取得工程と、
前記受信した画像データの撮影時刻を取得する撮影時刻取得工程と、
前記取得された撮影時刻から関連する文言を決定する文言決定工程と、
前記取得された情報と前記決定された文言に基づいて、前記受信した画像データに付与する情報を生成する画像データ付与情報生成工程と、
前記生成された情報を前記受信した画像データに関連付けて保存する画像データ情報保存手段とを備えることを特徴とする画像データ管理方法。
【請求項１２】
請求項１１記載の画像データ管理方法をコンピュータに実行させるためのコンピュータに読み取り可能なプログラム。
【発明の詳細な説明】
【技術分野】
【０００１】
本発明は、画像データ等をネットワーク上のサーバにアップロードする際に、画像データに関連する情報だけでなく、タイトルやコメント等の各種情報を自動的に付与することができる画像再生装置及び画像データ管理システムに関する。
【背景技術】
【０００２】
近年、デジタルカメラや大容量の記憶装置／記録媒体が安価になり、デジタルカメラで撮影した大量の画像データを記憶装置に保存するユーザが増加している。また、携帯機器が無線通信ネットワーク等のインフラを利用してインターネット上のサーバに接続し、画像データを該携帯機器からサーバへアップロードすることも可能になっている。さらに、ユーザが、サーバにアップロードされた画像をインターネットにアクセス可能なパーソナルコンピュータ（以下、単に「ＰＣ」という。）等により閲覧したり、当該画像の印刷サービスを享受することも可能である。
【０００３】
一方、インターネット上のフォトアルバム・サーバやブログサーバ等に画像データをアップロードする際に、該画像データにユニークなタイトルやコメント、その画像データを取得したときの思い出や感情、その他の情報を気軽に付与できるようになった。
【０００４】
また、デジタルカメラで撮影した画像に、表題を配信するシステムを設置した場所で、その場所の特有な表題やロゴを自動的に付与することが可能なカメラや画像表題送受信システムが提案されている（例えば、特許文献１参照）。
【特許文献１】特開２００２−２８１４２９号公報
【発明の開示】
【発明が解決しようとする課題】
【０００５】
しかしながら、撮影した画像データをフォトアルバム・サーバ等に直ぐにアップロードする場合、文字等を入力するためのユーザーインターフェース（ＵＩ）を備えていない装置では、画像データに付与するタイトルやコメントの入力が困難である。
【０００６】
また、タイトルやコメント等の情報を入力して画像データに付与するにはユーザーインターフェースを十分に備えたＰＣ等を利用した方がよいが、ユーザが外出した場合には直ぐにアクセスできるＰＣを探すのは困難である。そのため、ユーザが画像データだけをデジタルカメラからフォトアルバム・サーバにアップロードし、その後にフォトアルバム・サーバに接続可能なＰＣ等から当該画像データに付与するタイトルやコメント等を入力するしかない。その結果、フォトアルバム・サーバに大量の画像データをアップロードした場合に後からタイトルやコメントを入力しようとしても、個々の画像データに付与しようとしたタイトルやコメント等を思い出すことができない場合がある。
【０００７】
また、上記従来技術では、撮影位置の情報を配信システムに送信し、それに対応する情報をカメラが受信するに過ぎず、画像に付与される情報が限定されていた。しかしながら、撮影には直接関係ない情報であっても、後からユーザが閲覧したり検索したりするには有用な情報である場合が少なくない。
【０００８】
そこで、本発明は、画像データ等をネットワーク上のサーバにアップロードする場合であっても画像データ等に関連する情報だけでなく、幅広い分野にわたる情報を自動的に付与可能な画像再生装置及び画像データ管理システムを提供することを目的とする。
【課題を解決するための手段】
【０００９】
上記目的を達成するために、請求項１記載の画像再生装置は、サーバにネットワークを介して接続された画像再生装置において、前記サーバに前記画像データをアップロードする画像データアップロード手段と、前記サーバから第１の情報を取得する第１の情報取得手段と、前記アップロードする画像データに関連する第２の情報を取得する第２の情報取得手段と、前記取得された第２の情報から関連する文言を決定する文言決定手段と、前記取得された第１の情報と前記決定された文言に基づいて、前記アップロードする画像データに付与する情報を生成する画像データ付与情報生成手段と、前記生成された情報を前記アップロードする画像データに関連付けて前記サーバに保存する画像データ情報保存手段とを備えることを特徴とする。
【００１０】
上記目的を達成するために、請求項１０記載の画像データ管理システムは、通信機能を備える装置と画像データを管理するサーバとを備える画像データ管理システムにおいて、前記装置は、前記サーバにアップロードする画像データを選択させる画像データ選択手段と、前記選択された画像データに関連する情報のジャンルを選択させる情報ジャンル選択手段と、前記選択されたジャンルと前記選択された画像データを前記サーバにアップロードする画像データアップロード手段とを備え、前記サーバは、前記選択されたジャンルと前記選択された画像データを受信する画像データ受信手段と、前記受信した画像データの撮影日を取得する撮影日情報取得手段と、前記受信したジャンルと前記取得された撮影日に基づいて、ネットワーク上の情報を配信可能なサーバから情報を取得する情報取得手段と、前記受信した画像データの撮影時刻を取得する撮影時刻取得手段と、前記取得された撮影時刻から関連する文言を決定する文言決定手段と、前記取得された情報と前記決定された文言に基づいて、前記受信した画像データに付与する情報を生成する画像データ付与情報生成手段と、前記生成された情報を前記受信した画像データに関連付けて保存する画像データ情報保存手段とを備えることを特徴とする。
【００１１】
上記目的を達成するために、請求項１１記載の画像データ管理方法は、通信機能を備える装置とデータを管理するサーバとを備える画像データ管理システムの画像データ管理方法において、前記装置から前記サーバにアップロードする画像データを選択させる画像データ選択工程と、前記選択された画像データに関連する情報のジャンルを選択させる情報ジャンル選択工程と、前記選択されたジャンルと前記選択された画像データを前記サーバにアップロードする画像データアップロード工程と、前記選択されたジャンルと前記選択された画像データを前記サーバから受信する画像データ受信工程と、前記受信した画像データの撮影日を取得する撮影日情報取得工程と、前記受信したジャンルと前記取得された撮影日に基づいて、ネットワーク上の情報を配信可能なサーバから情報を取得する情報取得工程と、前記受信した画像データの撮影時刻を取得する撮影時刻取得工程と、前記取得された撮影時刻から関連する文言を決定する文言決定工程と、前記取得された情報と前記決定された文言に基づいて、前記受信した画像データに付与する情報を生成する画像データ付与情報生成工程と、前記生成された情報を前記受信した画像データに関連付けて保存する画像データ情報保存手段とを備えることを特徴とする。
【発明の効果】
【００１２】
本発明によれば、画像データ等をネットワーク上のサーバにアップロードする場合であっても画像データ等に関連する情報だけでなく、幅広い分野にわたる情報を自動的に付与することができる。
【００１３】
また、画像データ等を文字入力等が十分に行えない装置からネットワーク上のサーバにアップロードする場合であっても画像データ等に対してタイトルやコメント等の情報を付与することができる。
【発明を実施するための最良の形態】
【００１４】
以下、本発明の実施の形態を図面を参照して説明する。
【００１５】
［第１の実施形態］
図１は、本発明の第１の実施形態に係る画像再生装置を含む画像データ管理システムの概略構成を示す図である。
【００１６】
図１において、画像再生装置１００は、画像データを表示する画像表示機能と、無線通信機能とを備える。アクセスポイント１０５は、画像再生装置１００がインターネット（Internet）１１５に無線通信で接続するためのアクセスポイントである。
【００１７】
ニュースコンテンツ・サーバ１１０は、インターネット１１５上にニュースコンテンツを配信するサーバである。ニュースコンテンツ・サーバ１１０は、アクセスポイント１０５を介してインターネット１１５に接続された画像再生装置１００や不図示のパーソナルコンピュータ等の外部機器からの要求に応じて、日付情報の配信やニュースコンテンツの検索を行う。そして、検索結果をＨＴＭＬ形式のデータ又はＲＳＳ形式のデータで当該外部機器に送信する。
【００１８】
フォトアルバム・サーバ１２０は、画像再生装置１００等の外部機器からインターネット１１５を介して画像データと該画像データに関連する情報を受信し、これらを記憶装置（不図示）に記憶して管理する。
【００１９】
また、フォトアルバム・サーバ１２０は、画像データ等を表示するためにＨＴＭＬ（HyperText Markup Language）ファイルを作成し、アクセスしてきた画像再生装置１００等へＨＴＭＬファイルを提供する機能を備える。ユーザは、画像再生装置１００等に搭載されたＷｅｂブラウザ機能を使用し、フォトアルバム・サーバ１２０から受信した画像データと該画像データに関連する情報を閲覧することができる。
【００２０】
また、フォトアルバム・サーバ１２０は、インターネット１１５を介してアクセスする画像再生装置１００等のユーザのユーザＩＤとパスワードを管理する機能を有する。例えば、画像再生装置１００からアクセスがあった場合、フォトアルバム・サーバ１２０は、該画像再生装置１００から受信したユーザＩＤとパスワードに基づいてユーザ認証を行う。
【００２１】
なお、図示では、ニュースコンテンツ・サーバ１１０は、インターネット１１５上に複数配置されているが１台であってもよい。また、フォトアルバム・サーバ１２０は、インターネット１１５上に複数配置されていてもよい。
【００２２】
図２は、図１の画像再生装置１００の構成を示すブロック図である。
【００２３】
図２において、ＣＰＵ２０１は、後述する各種プログラムを実行し、バス２１０に接続された各構成要素を制御する。ＲＯＭ２０３は、ＣＰＵ２０１によって実行される各種プログラムを格納するメモリである。ＲＡＭ２０２は、ＣＰＵ２０１が各種プログラムを実行する際に必要なデータや各種プログラムを実行することによって生じたデータを一時的に格納するメモリである。
【００２４】
表示部２０４は、小型のＬＣＤ（Liquid Crystal Display）等で構成され、ストレージ２０７（記憶装置）に格納された画像データ等を表示する。ＵＩ（User Interface）部２０５は、ユーザが操作を行うための十字キーとわずかなボタン類を備えるのみであり、文字などを入力するための十分な機能を備えていないものとする。
【００２５】
無線通信部２０６は、アクセスポイント１０５との無線通信を行い、インターネット１１５上のフォトアルバム・サーバ１２０やニュースコンテンツ・サーバ１１０と画像データ等の送受信を行う。ストレージ２０７は、画像データを記憶するメモリである。ストレージ２０７は、着脱可能な記録媒体であってもよい。
【００２６】
時計部（ＲＴＣ：Real Time Clock）２０８は、日時をカウントしており、例えば、ＣＰＵ２０１からの要求に応じて、カウントした日時を日時情報として返信することができる。バス２１０は、上述した各部を互いに接続するシステムバスである。
【００２７】
ＲＯＭ２０３には、ＣＰＵ２０１が後述する処理を実行するためのプログラムとして、以下に示すプログラムが少なくとも１つ格納されている。
【００２８】
表示画像データ生成プログラムは、ストレージ２０７から画像データを読み出し、該画像データを表示部２０４に表示可能なデータに変換するプログラムである。画像選択プログラムは、表示部２０４に表示された画像をＵＩ部２０５におけるユーザの操作により選択させるプログラムである。ニュースジャンル設定プログラムは、ニュースジャンルをユーザに設定させるプログラムである。撮影日時取得プログラムは、画像データから撮影日時を取得するプログラムである。
【００２９】
ニュースタイトル取得プログラムは、ニュースジャンル設定プログラムにより設定されたニュースジャンルと撮影日時取得プログラムにより取得された撮影日時に基づいて、ニュースコンテンツ・サーバ１１０から所定のニュースコンテンツを取得する。また、このニュースタイトル取得プログラムは、該ニュースコンテンツからニュースのタイトルを抽出して記憶する。時間帯文言決定プログラムは、撮影日時取得プログラムにより取得された撮影日時に対応する文言を決定するプログラムである。
【００３０】
タイトル作成プログラムは、ニュースタイトル取得プログラムにより取得されたタイトルと時間帯文言決定プログラムにより決定された文言とを接続して画像データのタイトルを作成するプログラムである。画像データアップロード・タイトル付与プログラムは、無線通信部２０６を介してフォトアルバム・サーバ１２０と接続して画像データの転送（アップロード）を行うプログラムである。また、画像データアップロード・タイトル付与プログラムは、タイトル作成プログラムにより作成されたタイトルを画像データのタイトルとして付与する。
【００３１】
画像再生装置１００には、ユーザが画像データのアップロード状況を確認するために、フォトアルバム・サーバ１２０からのＨＴＭＬスクリプトをＧＵＩに変換して表示するＷｅｂブラウザ機能が搭載されていてもよい。
【００３２】
次に、画像再生装置１００からフォトアルバム・サーバ１２０に画像データをアップロードするときの一連の動作について説明する。
【００３３】
画像再生装置１００からフォトアルバム・サーバ１２０に画像データをアップロードする場合、ＣＰＵ２０１が表示画像データ生成プログラムを実行し、ストレージ２０７から画像データを読み出して表示部２０４に表示させる。次に、ＣＰＵ２０１が画像選択プログラムを実行し、フォトアルバム・サーバ１２０にアップロードする画像データをユーザに選択させる。
【００３４】
ＣＰＵ２０１がニュースジャンル設定プログラムを実行し、アップロードする画像データに付与するユニークなタイトルを作成するために、まずニュースジャンルを選択させる。ＣＰＵ２０１は、撮影日時取得プログラムを実行し、アップロードする画像データから撮影日時情報を取得し、該撮影日時情報と選択されたニュースジャンルに基づいて、ニュースコンテンツ・サーバ１１０からニュースタイトルを取得する。
【００３５】
ＣＰＵ２０１は、時間帯文言決定プログラムを実行し、アップロードする画像データから撮影時刻を取得し、当該撮影時刻に基づいて画像データのタイトルとして適当な文言を決定する。そして、ＣＰＵ２０１は、タイトル作成プログラムを実行し、取得したニュースタイトルと決定された文言から画像データに付与するタイトルを作成する。
【００３６】
まず、ユーザにニュースジャンルを設定させるニュースジャンル設定処理について説明する。
【００３７】
図３は、ニュースジャンルリストの一例を示す図である。図４は、ニュースジャンル設定処理を示すフローチャートである。
【００３８】
図３において、ニュースジャンルリストは、カテゴリ１のニュースジャンルとカテゴリ２のニュースジャンルとが関連付けられて画像再生装置１００内のＲＯＭ２０３に記憶されている。カテゴリ１はニュースジャンルの大分類であり、カテゴリ２はカテゴリ１の大分類を更に細かく分類したニュースジャンルの小分類である。
【００３９】
なお、本実施の形態では、ニュースジャンルをカテゴリ１，２に分けたが、これに限定されず、さらに複数に分けてもよい。また、図示例に限らず、ニュースジャンルの項目を増やしても内容を変更してもよい。
【００４０】
図４において、ＣＰＵ２０１は、図３に示すニュースジャンルリストからカテゴリ１のジャンルリストを取得し（ステップＳ３０１）、表示部２０４に表示する（ステップＳ３０２）。
【００４１】
次に、ＣＰＵ２０１は、表示されたカテゴリ１のジャンルリストからジャンルが選択されたか否かを判別する（ステップＳ３０３）。ユーザがＵＩ部２０５を操作してジャンルの選択がなされると、選択されたカテゴリ１のジャンルに関連するカテゴリ２のジャンルリストを取得する（ステップＳ３０４）。そして、選択されたカテゴリ１のジャンルとカテゴリ２のジャンルリストを表示部２０４に表示する（ステップＳ３０５）。例えば、カテゴリ１のジャンルリストから「社会」が選択されたときは、カテゴリ２の「事件」、「教育」、「天気」が表示される。
【００４２】
ステップＳ３０３において、ジャンル未選択の場合はそのまま待機状態となるが、ＵＩ部２０５上でユーザによりキャンセルが選択されたときはそのまま終了する。
【００４３】
次に、ステップＳ３０６では、ＣＰＵ２０１は、カテゴリ１のジャンルが設定されたか、カテゴリ２のジャンルが設定されたかを判断する。ステップＳ３０３で選択されたカテゴリ１のジャンルが設定されたときは、ステップＳ３０７へ進み、カテゴリ２のジャンルリストからジャンルが設定されたときは、ステップＳ３０８へ進む。また、ＵＩ部２０５上でユーザによりキャンセルが選択されたときはそのまま終了する。
【００４４】
ステップＳ３０７では、ＣＰＵ２０１は、設定されたカテゴリ１のジャンルを、ニュースコンテンツ・サーバ１１０から取得するニュースジャンルとしてＲＡＭ２０２に記憶して、本処理を終了する。
【００４５】
ステップＳ３０８では、ＣＰＵ２０１は、設定されたカテゴリ２のジャンルを、ニュースコンテンツ・サーバ１１０から取得するニュースジャンルとしてＲＡＭ２０２に記憶して、本処理を終了する。
【００４６】
次に、アップロードする画像データから撮影日時情報を取得し、該撮影日時情報と選択されたニュースジャンルに基づいて、ニュースコンテンツ・サーバ１１０からニュースタイトルを取得する動作について説明する。
【００４７】
まず、画像再生装置１００が、予め設定されたニュースコンテンツ・サーバ１１０に接続し、ニュースタイトルを含むＨＴＭＬファイルを取得する流れについて説明する。
【００４８】
図５は、画像再生装置１００とニュースコンテンツ・サーバ１１０との間のニュースタイトル取得時のシーケンスを示す図である。
【００４９】
図５において、まず、画像再生装置１００は、自装置に予め設定された所定のニュースコンテンツ・サーバ１１０に対して、ニュースタイトル検索用のＷｅｂページの取得要求（リクエスト）を行う（Ｓ５０１）。
【００５０】
次に、ニュースコンテンツ・サーバ１１０は、画像再生装置１００からのリクエストに対してニュースタイトル検索用のＷｅｂページのＨＴＭＬファイルを画像再生装置１００に送信する（Ｓ５０２）。
【００５１】
次に、画像再生装置１００は、ニュースコンテンツ・サーバ１１０に対して、画像データの日付情報とニュースジャンルとをパラメータとして、ニュースタイトルを検索した検索結果のＷｅｂページの取得要求を行う（Ｓ５０３）。ここで、画像データの日付情報は、画像データから撮影日が取得できたときには撮影日となり、撮影日が取得できなかったときは画像データをフォトアルバム・サーバ１２０にアップロードする日となる。
【００５２】
次に、ニュースコンテンツ・サーバ１１０は、受信した日付情報とニュースジャンルに基づいてニュースタイトルの検索を行い、その検索結果のＨＴＭＬファイルを画像再生装置１００に送信する（Ｓ５０４）。
【００５３】
ニュースコンテンツ・サーバ１１０が送信するＨＴＭＬファイルの形式は一定であることから、画像再生装置１００は当該ＨＴＭＬファイルからニュースタイトルを容易に取得することができる。
【００５４】
本実施の形態では、ニュースコンテンツ・サーバ１１０からのニュースの提供が無料である場合を説明した。一方、ニュースの提供が有料である場合には、ユーザがユーザＩＤとパスワードを利用してニュースコンテンツ・サーバ１１０に対してログイン処理が行い、ニュースの提供を受けるようにしてもよい。
【００５５】
次に、インターネット１１５上のニュースコンテンツ・サーバ１１０からニュースタイトルを取得するニュースタイトル取得処理について説明する。
【００５６】
図６は、ニュースタイトル取得処理を示すフローチャートである。
【００５７】
図６において、まず、ＣＰＵ２０１は、ＲＡＭ２０２からニュースジャンルを読み出す（ステップＳ６０１）。次に、ＣＰＵ２０１は、ユーザにより選択された画像データから撮影日時情報を取得し（ステップＳ６０２）、取得した撮影日時情報に撮影日情報があるか否かを判別する（ステップＳ６０３）。この判別の結果、撮影日情報があるとＣＰＵ２０１が判断したときは（ステップＳ６０３でＹＥＳ）、ステップＳ６０４へ進む。一方、ステップＳ６０２で取得した撮影日時情報に撮影日情報が無いと判断したときは（ステップＳ６０３でＮＯ）、ステップＳ６０５へ進む。
【００５８】
ステップＳ６０４では、ＣＰＵ２０１は、読み出したニュースジャンルと取得した撮影日情報をニュースタイトル検索用のパラメータとしてニュースコンテンツ・サーバ１１０にニュースタイトルの検索要求を行い、ステップＳ６０６へ進む。この検索要求は図５のＳ５０３に相当する。なお、図５のＳ５０１，Ｓ５０２は、本処理の前に行われているものとする。
【００５９】
ステップＳ６０５では、読み出したニュースジャンルとアップロードする日付情報をニュースタイトル検索用のパラメータとしてニュースコンテンツ・サーバ１１０にニュースタイトルの検索要求を行い、ステップＳ６０６へ進む。この検索要求も図５のＳ５０３に相当する。アップロードする日付情報は、ユーザにより選択され表示部２０４に表示された画像データをフォトアルバム・サーバ１２０にアップロードする日であり、ＣＰＵ２０１が画像再生装置１００内のＲＴＣ２０８から取得する。
【００６０】
次に、ＣＰＵ２０１は、ニュースコンテンツ・サーバ１１０からの検索要求に対する検索結果を所定時間内に受信したか否かを判別する（ステップＳ６０６）。この判別の結果、所定時間内に検索結果を受信したと判断したときは（ステップＳ６０６でＹＥＳ）、ＣＰＵ２０１は、受信した検索結果に対して受信データ検査を行い（ステップＳ６０７）、ステップＳ６０８へ進む。一方、所定時間内にニュースコンテンツ・サーバ１１０から検索結果を受信できなかったとＣＰＵ２０１が判断したときは（ステップＳ６０６でＮＯ）、ステップＳ６２０へ進む。
【００６１】
ステップＳ６０８では、ＣＰＵ２０１は、受信データ検査を行った結果、ニュースタイトルがあるか否かを判別し、ニュースタイトルがあったときは、ステップＳ６０９へ進む。一方、ニュースタイトルがなかったときは、「該当ニュースなし」をニュースタイトルとして決定し（ステップＳ６１０）、ステップＳ６１１へ進む。
【００６２】
ステップＳ６０９では、ＣＰＵ２０１は、ニュースタイトルを決定してステップＳ６１１へ進む。ステップＳ６０７で受信データ検査を行った結果、複数のニュースタイトルが存在した場合は、ＣＰＵ２０１は最初に検索したものをニュースタイトルに決定し、ステップＳ６１１へ進む。
【００６３】
ステップＳ６１１では、ＣＰＵ２０１は、ステップＳ６０９又はステップＳ６１０で決定したニュースタイトルをＲＡＭ２０２に記憶して本処理を終了する。
【００６４】
ステップＳ６２０では、ＣＰＵ２０１は、表示部２０４にタイムアウト表示を行う。つづいて、ＣＰＵ２０１は、ユーザによるＵＩ部２０５の操作によりリトライが行われたと判断した場合（ステップＳ６２１でＹＥＳ）、ステップＳ６０３に戻る。一方、ＵＩ部２０５の操作によりリトライが行われないと判断した場合は（ステップＳ６２１でＮＯ）、本処理を終了する。
【００６５】
図７は、図５のＳ５０４にてニュースコンテンツ・サーバ１１０から受信したニュース検索結果のＨＴＭＬファイルの描画像の一例を示す図であり、（ａ）はニュースの検索結果が得られた場合、（ｂ）はニュースの検索結果が得られなかった場合を示す。
【００６６】
図７（ａ）において、画像７１０は、ニュースタイトルの検索結果が得られた場合のＨＴＭＬファイルの描画像である。画像７１０上のフレーム７１１，７１２，７１３は、どのような検索結果が得られた場合でも変わらない構成である。
【００６７】
画像７１０上の検索結果７１４，７１５は、検索結果であるニュースタイトルである。画像再生装置１００は、検索結果として返信されるフレームを予め知っておけば、検索結果７１４，７１５を予想して取得できる。
【００６８】
図７（ｂ）において、画像７２０は、ニュースタイトルの検索結果が１つも得られなかった場合のＨＴＭＬファイルの描画像である。画像７２０上のフレーム７２１，７２２，７２３は、画像７１０上のフレーム７１１，７１２，７１３と同様なフレーム構成であり、検索結果に依存しない。画像７２０上の検索結果７２４には、該当する検索結果が無かったことを示すメッセージが表示される。
【００６９】
図６のステップＳ６０７において、受信データ検査の結果、データから共通のフレーム部分を取り除いたデータに検索結果７２４がある場合にはステップＳ６１０の処理が行われる。一方、当該データに検索結果７１４，７１５がある場合にはステップＳ６０９の処理が行われる。
【００７０】
次に、画像データから撮影時刻を取得し、当該撮影時刻に基づき画像データのタイトルとして適当な文言を決定する時間帯文言決定処理について図８及び図９を参照して説明する。
【００７１】
図８は、時間帯と時間帯に対応する文言とを関連付けた時間帯文言リストの一例を示す図である。図９は、時間帯文言決定処理を示すフローチャートである。
【００７２】
図８において、時間帯文言リストは、０：００〜２４：００を３時間ずつの時間帯に区切り、１つの時間帯に対して３つの文言が関連付けられている。関連付けられた文言は、該当する時間帯に関連する内容の文言である。同一時間帯では同一の文言が割り当てられていないが、異なる時間帯では同一の文言を割り当てられていてもよい。時間帯文言リストは予め画像再生装置１００に格納されているが、これに限定されるものではない。
【００７３】
図９において、ＣＰＵ２０１は、ユーザにより選択された画像データから撮影日時情報を取得する（ステップＳ９０１）。
【００７４】
次に、ＣＰＵ２０１は、ステップＳ９０１で取得した撮影日時情報に撮影時刻情報があるか否かを判別する（ステップＳ９０２）。この判別の結果、撮影時刻情報があるときは、ＣＰＵ２０１は撮影時刻情報をＲＡＭ２０２に記憶する（ステップＳ９０４）。
【００７５】
一方、ステップＳ９０２の判別の結果、ステップＳ９０１で取得した撮影日時情報に撮影時刻情報が無い場合、ＣＰＵ２０１はＲＴＣ２０８から現在の時刻情報を取得し（ステップＳ９０３）、ＲＡＭ２０２に記憶する（ステップＳ９０４）。
【００７６】
次に、ＣＰＵ２０１は、図８に示した時間帯文言リストの先頭から１つの時間帯とその時間帯に対応する文言リストの先頭の文言を取得する（ステップＳ９０５）。
【００７７】
次に、ＣＰＵ２０１は、ステップＳ９０４でＲＡＭ２０２に記憶した時刻（撮影時刻又は現在の時刻）がステップＳ９０５で取得した時間帯に含まれるか否かを判別する（ステップＳ９０６）。例えば、ＲＡＭ２０２に記憶した時刻が３：００であるならば、０：００〜３：００の時間帯に含まれるものとする。
【００７８】
ステップＳ９０６の判別の結果、ステップＳ９０４でＲＡＭ２０２に記憶した時刻がステップＳ９０５で取得した時間帯に含まれないときは、ステップＳ９０５に戻る。そして、時間帯文言リストの先頭から順番に次の時間帯とその時間帯に対応する文言リストの先頭の文言を取得し、これらを繰り返すことで、ステップＳ９０４にて記憶した時刻が含まれる時間帯を探索する。
【００７９】
ステップＳ９０６の判別の結果、ステップＳ９０４でＲＡＭ２０２に記憶した時刻がステップＳ９０５で取得した時間帯に含まれていたときは、ステップＳ９０７へ進む。ステップＳ９０７では、ＣＰＵ２０１は、ステップＳ９０５で取得した時間帯に対応する文言リストのうち、取得した先頭の文言を当該文言リストの最後尾に移動して順番を入れ替える（ステップＳ９０７）。これは、同時間帯に撮影された複数の画像データに対して同じ内容のタイトルが繰り返し付与することを避けるためである。順番の入れ替えは時間帯文言リストを更新することで行われる。
【００８０】
ステップＳ９０８では、ＣＰＵ２０１は、ステップＳ９０５で取得した文言を時間帯文言としてＲＡＭ２０２に記憶して、本処理を終了する。
【００８１】
次に、図６のステップＳ６１１でＲＡＭ２０２に記憶したニュースタイトルと、図９のステップＳ９０８でＲＡＭ２０２に記憶した時間帯文言とから画像データに付与するタイトルを作成するタイトル作成処理を図１０を参照して説明する。
【００８２】
図１０は、タイトル作成処理を示すフローチャートである。
【００８３】
図１０において、ＣＰＵ２０１は、選択されている画像データから撮影日時情報を取得する（ステップＳ１００１）。
【００８４】
次に、ステップＳ１００２では、ＣＰＵ２０１は、ステップＳ１００１で取得した撮影日時情報に撮影日情報があるか否かを判別する。この判別の結果、撮影日情報があるときはステップＳ１００３へ進む一方、撮影日情報がないときはステップＳ１０１１へ進む。
【００８５】
ステップＳ１００３では、ＣＰＵ２０１は、撮影日情報から撮影時刻情報を取得し、撮影時刻情報があるか否かを判別する。この結果、ＣＰＵ２０１は、ステップＳ１００３で撮影時刻情報を取得することができたときは、ステップＳ１００５へ進む一方、できなかったときは、ステップＳ１００９へ進む。
【００８６】
ステップＳ１００５では、ＣＰＵ２０１は、図６のステップＳ６１１で記憶したニュースタイトルをＲＡＭ２０２から読み出す。つづいて、図９のステップＳ９０８で記憶した時間帯文言をＲＡＭ２０２から読み出す（ステップＳ１００６）。
【００８７】
次に、ステップＳ１００７では、ＣＰＵ２０１は、読み出したニュースタイトルと、「が報じられた日の」という特定の文言と、読み出した時間帯文言と、「に撮影」という特定の文言とを連結して１つの文字列を作成する。そして、ＣＰＵ２０１は、作成した文字列を画像データに付与するタイトルとしてＲＡＭ２０２に記録して（ステップＳ１００８）、本処理を終了する。
【００８８】
ステップＳ１００９では、ＣＰＵ２０１は、図６のステップＳ６１１で記憶したニュースタイトルをＲＡＭ２０２から読み出す。つづいて、読み出したニュースタイトルと、「が報じられた日に撮影」という特定の文言とを組み合わせて一つの文字列を作成する（ステップＳ１０１０）。次に、ＣＰＵ２０１は、作成した文字列を画像データに付与するタイトルとしてＲＡＭ２０２に記録して（ステップＳ１００８）、本処理を終了する。
【００８９】
ステップＳ１０１１では、ＣＰＵ２０１は、図６のステップＳ６１１で記憶したニュースタイトルをＲＡＭ２０２から読み出す。つづいて、図９のステップＳ９０８で記憶した時間帯文言をＲＡＭ２０２から読み出す（ステップＳ１０１２）。
【００９０】
次に、ステップＳ１０１３では、ＣＰＵ２０１は、読み出したニュースタイトルと、「が報じられた日の」という特定の文言と、読み出した時間帯文言と、「にアップロード」という特定の文言とを連結して１つの文字列を作成する。そして、ＣＰＵ２０１は、作成した文字列を画像データに付与するタイトルとしてＲＡＭ２０２に記録して（ステップＳ１００８）、本処理を終了する。
【００９１】
次に、画像再生装置１００からフォトアルバム・サーバ１２０へ画像データをアップロードし、アップロードした画像データに図１０のステップＳ１００８で記録した文字列を画像データのタイトルとして付与するシーケンスについて図１１を参照して説明する。
【００９２】
図１１は、アップロードした画像データに文字列を画像データのタイトルとして付与するシーケンスを示す図である。
【００９３】
画像再生装置１００は、フォトアルバム・サーバ１２０にログインページ要求（リクエスト）を行う（Ｓ１１０１）。
【００９４】
フォトアルバム・サーバ１２０は、画像再生装置１００からのリクエストに対してログインページ用のＨＴＭＬファイルを画像再生装置１００に送信する（Ｓ１１０２）。
【００９５】
次に、予め画像再生装置１００が持っているフォトアルバム・サーバ１２０のユーザＩＤとパスワードのログイン情報を付与したログイン要求を画像再生装置１００からフォトアルバム・サーバ１２０に送信する（Ｓ１１０３）。
【００９６】
フォトアルバム・サーバ１２０は、ログインしたユーザ用のフォトアルバム・トップページを画像再生装置１００に送信する（Ｓ１１０４）。
【００９７】
次に、画像再生装置１００は、アップロードページ取得要求を行い（Ｓ１１０５）、フォトアルバム・サーバ１２０は、当該アップロードページ取得要求に対してアップロードページを送信する（Ｓ１１０６）。
【００９８】
画像再生装置１００は、画像データのアップロード要求と画像データのアップロードを行う（Ｓ１１０７）。画像データのアップロードが完了すると、フォトアルバム・サーバ１２０は完了通知と画像データがアップデートされたことを表す更新のページを画像再生装置１００に送信する（Ｓ１１０８）。
【００９９】
画像再生装置１００は、アップロードした画像データのページ要求を行うと（Ｓ１１０９）、フォトアルバム・サーバ１２０は、アップロードされた画像データを表示するページを送信する（Ｓ１１１０）。Ｓ１１１０で送信されたページには、Ｓ１１０７でアップロードされた画像データに対して付与するタイトルを入力し、フォトアルバム・サーバ１２０へ変更を依頼することができる。ここで入力されるタイトルは、図１０のステップＳ１００８でＲＡＭ２０２に記録された文字列である。なお、ＲＡＭ２０２に記録された文字列がコメントであれば、コメントが入力される。
【０１００】
画像再生装置１００は、図１０のステップＳ１００８でＲＡＭ２０２に記録されたタイトルの文字列をフォトアルバム・サーバ１２０へ送信する（Ｓ１１１１）。
【０１０１】
フォトアルバム・サーバ１２０は、Ｓ１１０７でアップロードされた画像データに対して、Ｓ１１１１で画像再生装置１００から受信したタイトルの文字列を付与し、画像データと共に保存する。そして、画像再生装置１００にタイトルが付与された画像データを表示するページを送信する（Ｓ１１１２）。その結果、画像再生装置１００では、タイトルが付与された画像データを確認することができる。
【０１０２】
上記第１の実施形態によれば、画像再生装置１００がユーザにより設定されたニュースジャンルとアップロードする画像データの撮影日情報に基づいて、ニュースコンテンツ・サーバ１１０から所定のニュースタイトルを取得する。そして、画像データの撮影時刻と時間帯文言リストに基づいて時間帯文言を決定し、ニュースタイトルと時間帯文言と特定の文言とを連結して文字列を作成する。そして、画像再生装置１００からフォトアルバム・サーバ１２０に画像データをアップロードしたときに、作成した文字列を画像データのタイトルとして付与してフォトアルバム・サーバ１２０に格納する。これにより、画像データをネットワーク上のサーバにアップロードする場合であっても画像データに関連する情報だけでなく、幅広い分野にわたる情報を自動的に付与することができる。
【０１０３】
また、ユーザーインターフェースを十分に備えていない装置から画像データをサーバにアップロードする場合であっても、当該画像データに関連する情報をタイトルやコメントとして付与することができる。例えば、花見を撮影した際に「野球の世界大会で日本が優勝した」という情報をサーバより得ることができれば、画像データのタイトルやコメントとして、花見の内容だけでなく時事に関する内容を付与することができる。その結果、画像データに付与する情報の幅が広がる。
【０１０４】
［第２の実施形態］
次に、本発明の第２の実施形態に係る画像再生装置を含む画像データ管理システムについて説明する。なお、上記第１の実施の形態と同様の部分については、同一の符号を用いてその説明を省略する。
【０１０５】
本第２の実施形態における画像データ管理システムは、Ｗｅｂサイトの見出しや要約のメタデータをＸＭＬ形式のフォーマットで記述するＲＳＳ（Rich Site Summary）を使用して、画像データにタイトルを付与させるものである。
【０１０６】
まず、画像再生装置１００が、予め設定されたニュースコンテンツ・サーバ１１０に接続し、ニュースタイトルを含むＲＳＳファイルを取得する流れについて説明する。
【０１０７】
図１２は、本発明の第２の実施の形態における画像再生装置１００とニュースコンテンツ・サーバ１１０との間のニュースタイトル取得時のシーケンスを示す図である。
【０１０８】
図１２において、まず、画像再生装置１００は、自装置に予め設定された所定のニュースコンテンツ・サーバ１１０に対して、ニュースタイトル検索用のＷｅｂページの取得要求（リクエスト）を行う（Ｓ１２０１）。
【０１０９】
次に、ニュースコンテンツ・サーバ１１０は、画像再生装置１００からのリクエストに対してニュースタイトル検索用のＷｅｂページのＨＴＭＬファイルを送信する（Ｓ１２０２）。
【０１１０】
次に、画像再生装置１００は、ニュースコンテンツ・サーバ１１０に対して、画像データの日付情報とニュースジャンルとをパラメータとして、ニュースタイトルを検索した検索結果のＲＳＳファイルの取得要求を行う（Ｓ１２０３）。ここで、画像データの日付情報は、画像データから撮影日が取得できたときには撮影日となり、撮影日が取得できなかったときは画像データをフォトアルバム・サーバ１２０にアップロードする日となる。
【０１１１】
次に、ニュースコンテンツ・サーバ１１０は、受信した日付情報とニュースジャンルに基づいてニュースタイトルの検索を行い、その検索結果のＲＳＳファイルを画像再生装置１００に送信する（Ｓ１２０４）。
【０１１２】
ニュースコンテンツ・サーバ１１０が送信するＲＳＳファイルの内容は専用のタグで整理されているため、画像再生装置１００は当該タグを探索することでニュースタイトルを容易に取得することができる。
【０１１３】
そして、画像再生装置１００は、上記第１の実施形態で説明した図６と同様の処理を実行して、インターネット１１５上のニュースコンテンツ・サーバ１１０からニュースタイトルを取得する。
【０１１４】
次に、図１２のＳ１２０４においてニュースコンテンツ・サーバ１１０が画像再生装置１００に送信するニュースタイトルを含むＲＳＳファイルについて説明する。
【０１１５】
図１３は、ニュースコンテンツ・サーバ１１０が送信するニュースタイトルを含むＲＳＳファイルの一例を示す図である。なお、本図では、ＲＳＳファイルの一部を示す。
【０１１６】
画像再生装置１００は、ニュースコンテンツ・サーバ１１０が送信するＲＳＳファイルにおけるデータのフォーマットを予め理解しており、図１３に示すようなニュースタイトルを含むオブジェクト部分だけ取得するのは容易である。画像再生装置１００は、図１３に示すＲＳＳファイル１３００から＜ｔｉｔｌｅ＞タグに囲まれている文字列をニュースタイトルとして取得する。
【０１１７】
そして、画像再生装置１００は、ＲＳＳファイルからニュースタイトルを取得した後、図９の時間帯文言決定処理と図１０のタイトル作成処理を行い、図１１の画像データのアップロード処理を行う。これにより、上記第１の実施の形態と同様に、画像データ等をネットワーク上のサーバにアップロードする場合であっても画像データ等に関連する情報だけでなく、幅広い分野にわたる情報を自動的に付与することができる。また、ＲＳＳを利用することで、多数のＷｅｂサイトから効率的に情報を取得することができる。
【０１１８】
上記第１及び第２の実施形態では、日付情報とニュースジャンルに基づいてニュースタイトルを取得し、画像データをアップロードする際に、該ニュースタイトルから作成したタイトルを該画像データに付与した。しかし、インターネット１１５上のブログサイトや検索サイトに関してもサイトのフォーマットを理解しておくことで、フォトアルバム・サーバ１２０にアップロードする画像データに付与するタイトルを決定するための情報を得ることができるのは云うまでもない。
【０１１９】
［第３の実施形態］
次に、本発明の第３の実施形態に係る画像再生装置を含む画像データ管理システムについて説明する。なお、上記第１の実施の形態と同様の部分については、同一の符号を用いてその説明を省略する。
【０１２０】
図１４は、本発明の第３の実施形態に係る画像再生装置を含む画像データ管理システムの概略構成を示す図である。
【０１２１】
図１４において、画像再生装置１４００は、画像データを表示する画像表示機能と、無線通信機能とを備え、図１の画像再生装置１００と同様に、図２のハードウェア構成を有する。
【０１２２】
画像データ管理サーバ１４１０は、画像再生装置１４００等の外部機器からインターネット１１５を介して画像データと該画像データに関連する情報を受信し、これらを記憶装置（不図示）に記憶して管理する。
【０１２３】
また、画像データ管理サーバ１４１０は、画像データ等を表示するためにＨＴＭＬファイルを作成し、アクセスしてきた画像再生装置１４００等へＨＴＭＬファイルを提供する機能を備える。ユーザは、画像再生装置１４００等に搭載されたＷｅｂブラウザ機能を使用し、画像データ管理サーバ１４１０から受信した画像データと該画像データに関連する情報を閲覧することができる。
【０１２４】
また、画像データ管理サーバ１４１０は、インターネット１１５を介してアクセスする画像再生装置１４００等のユーザのユーザＩＤとパスワードを管理する機能を備える。例えば、画像再生装置１４００からアクセスがあった場合、画像データ管理サーバ１４１０は、該画像再生装置１４００から受信したユーザＩＤとパスワードに基づいてユーザ認証を行う。
【０１２５】
なお、図示では、ニュースコンテンツ・サーバ１１０は、インターネット１１５上に複数配置されているが１台であってもよい。また、画像データ管理サーバ１４１０は、インターネット１１５上に複数配置されていてもよい。
【０１２６】
次に、図４のニュースジャンル設定処理の後に実行される画像再生装置１４００と画像データ管理サーバ１４１０との間のシーケンスについて図１５を参照して説明する。
【０１２７】
図１５は、図１４における画像再生装置１４００と画像データ管理サーバ１４１０との間の画像データアップロード時のシーケンスを示す図である。
【０１２８】
まず、画像再生装置１４００は、画像データ管理サーバ１４１０にログイン依頼を行う（Ｓ１５０１）。ログイン依頼時には、ユーザＩＤやログイン用のパスワードが送信される。画像データ管理サーバ１４１０は、受信したユーザＩＤ等により画像再生装置１４００にログイン認証を行う（Ｓ１５０２）。
【０１２９】
次に、画像再生装置１４００は、画像データ管理サーバ１４１０に画像データのアップロード依頼を行う（Ｓ１５０３）。画像データ管理サーバ１４１０は、該アップロード依頼に対して画像再生装置１４００に画像データのアップロード許可を行う（Ｓ１５０４）。
【０１３０】
次に、画像再生装置１４００は、画像データ管理サーバ１４１０に画像データのアップロードを行う（Ｓ１５０５）。画像データ管理サーバ１４１０は、画像データを受信すると、画像再生装置１４００にアップロード完了通知を行う（Ｓ１５０６）。
【０１３１】
次に、画像再生装置１４００は、画像データ管理サーバ１４１０にニュースジャンルの送信を行う（Ｓ１５０７）。画像データ管理サーバ１４１０は、ニュースジャンルを受信すると、画像再生装置１４００にニュースジャンルの受信完了通知を行う（Ｓ１５０８）。
【０１３２】
図１６は、画像再生装置１４００における画像データ管理サーバ１４１０への画像データのアップロードとニュースジャンル送信の動作処理を示すフローチャートである。
【０１３３】
図１６において、画像再生装置１４００は、画像データ管理サーバ１４１０に対して画像データのアップロード依頼を行う（ステップＳ１６０１）。
【０１３４】
次に、ステップＳ１６０２では、画像再生装置１４００は、画像データ管理サーバ１４１０からアップロードを許可する旨の通知を受信したか否かを判別する。この判別の結果、アップロードを許可する旨の通知を受信したときは、画像再生装置１４００は、画像データを画像データ管理サーバ１４１０へ送信（アップロード）する（ステップＳ１６０３）。
【０１３５】
次に、ステップＳ１６０４では、画像再生装置１４００は、画像データ管理サーバ１４１０から画像データの受信が完了した旨の通知があるか否かを判別する。この判別の結果、画像データの受信が完了した旨の通知があるときは、画像再生装置１４００は、ＲＡＭ２０２からニュースジャンルを読み出して画像データ管理サーバ１４１０へ送信する（ステップＳ１６０５）。
【０１３６】
次に、ステップＳ１６０６では、画像再生装置１４００は、画像データ管理サーバ１４１０からニュースジャンルの受信が完了した旨の通知があったときは（ステップＳ１６０６でＹＥＳ）、本処理を終了する。
【０１３７】
図１７は、画像データ管理サーバ１４１０における画像再生装置１４００からの画像データとニュースジャンルの受信処理を示すフローチャートである。
【０１３８】
図１７において、画像データ管理サーバ１４１０は、画像再生装置１４００から画像データのアップロード依頼があったか否かを判別する（ステップＳ１７０１）。この判別の結果、画像再生装置１４００からアップロード依頼があったときは、画像データ管理サーバ１４１０は、アップロードを許可する旨の通知を画像再生装置１４００に送信する（ステップＳ１７０２）。
【０１３９】
次に、ステップＳ１７０３では、画像データ管理サーバ１４１０が、画像再生装置１４００から画像データを受信したか否かを判別する。この判別の結果、画像データを受信したときは、画像データ管理サーバ１４１０は、受信した画像データを記憶装置（不図示）に記憶し（ステップＳ１７０４）、画像データの受信が完了した旨を画像再生装置１４００に通知する（ステップＳ１７０５）。
【０１４０】
次に、ステップＳ１７０６では、画像データ管理サーバ１４１０は、画像再生装置１４００からニュースジャンルを受信したか否か判別する。この判別の結果、ニュースジャンルを受信したときは、該ニュースジャンルをステップＳ１７０４で記憶した画像データに関連する情報として記憶装置に記憶する（ステップＳ１７０７）。
【０１４１】
ステップＳ１７０８では、画像データ管理サーバ１４１０は、ニュースジャンルの受信が完了した旨の通知を画像再生装置１４００へ通知し、本処理を終了する。
【０１４２】
上記実施の形態では、画像データに付与するタイトルを画像再生装置側で生成していたが、画像データ管理サーバ側で生成してもよい。例えば、画像データ管理サーバ１４１０は、画像再生装置１４００から受信した画像データに付与するタイトルを生成するためのニュースジャンルを記憶している（図１７のステップＳ１７０４）。そこで、画像データ管理サーバ１４１０は、上記第１の実施形態における図３〜図１０で説明した一連の処理を実行して画像データに付与するタイトルを生成してもよい。これにより、画像データ管理サーバ１４１０は、生成したタイトルとステップＳ１７０４で記憶した画像データとを関連付けて記憶装置に記憶して管理することができる。
【０１４３】
上記第１〜第３の実施形態では、画像再生装置について説明したが、これに限定されず、画像データを生成すると共に、通信機能を備えたデジタルカメラや静止画撮影機能付きのデジタルビデオカメラであってもよい。
【０１４４】
また、上記第１〜第３の実施の形態では、画像データに付与するタイトルをニュースコンテンツ・サーバ１１０から取得したニュースタイトルに基づいて生成した。しかしながら、これに限定されず、取得する情報のフォーマットを予め設定する必要があるが、インターネット上の情報を検索し、また当該情報を配信できるサーバから取得してもよい。
【０１４５】
また、上記第１〜第３の実施の形態では、画像データに付与するタイトルについて説明したが、コメントであってもよく、その両方であってもよい。
【０１４６】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１４７】
この場合、記憶媒体から読み出されたプログラムコード自体が前述した実施の形態の機能を実現することになり、そのプログラムコード及び該プログラムコードを記憶した記憶媒体は本発明を構成することになる。
【０１４８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１５０】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【０１５１】
また、コンピュータが読み出したプログラムコードを実行することにより、前述した各実施の形態の機能が実現される場合も本発明に含まれる。加えて、そのプログラムコードの指示に基づき、コンピュータ上で稼働しているＯＳなどが実際の処理の一部または全部を行い、その処理によって前述した実施の形態の機能が実現する場合も含まれる。この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【０１５２】
【図１】本発明の第１の実施形態に係る画像再生装置を含む画像データ管理システムの概略構成を示す図である。
【図２】図１の画像再生装置の構成を示すブロック図である。
【図３】ニュースジャンルリストの一例を示す図である。
【図４】ニュースジャンル設定処理を示すフローチャートである。
【図５】画像再生装置とニュースコンテンツ・サーバとの間のニュースタイトル取得時のシーケンスを示す図である。
【図６】ニュースタイトル取得処理を示すフローチャートである。
【図７】図５のＳ５０４にてニュースコンテンツ・サーバから受信したニュース検索結果のＨＴＭＬファイルの描画像の一例を示す図であり、（ａ）はニュースの検索結果が得られた場合、（ｂ）はニュースの検索結果が得られなかった場合を示す。
【図８】時間帯と時間帯に対応する文言とを関連付けた時間帯文言リストの一例を示す図である。
【図９】時間帯文言決定処理を示すフローチャートである。
【図１０】タイトル作成処理を示すフローチャートである。
【図１１】アップロードした画像データに文字列を画像データのタイトルとして付与するシーケンスを示す図である。
【図１２】本発明の第２の実施の形態における画像再生装置とニュースコンテンツ・サーバとの間のニュースタイトル取得時のシーケンスを示す図である。
【図１３】ニュースコンテンツ・サーバが送信するニュースタイトルを含むＲＳＳファイルの一例を示す図である。
【図１４】本発明の第３の実施形態に係る画像再生装置を含む画像データ管理システムの概略構成を示す図である。
【図１５】図１４における画像再生装置と画像データ管理サーバとの間の画像データアップロード時のシーケンスを示す図である。
【図１６】画像再生装置における画像データ管理サーバへの画像データのアップロードとニュースジャンル送信の動作処理を示すフローチャートである。
【図１７】画像データ管理サーバにおける画像再生装置からの画像データとニュースジャンルの受信処理を示すフローチャートである。
【符号の説明】
【０１５３】
１００  画像再生装置
１０５  アクセスポイント
１１０  ニュースコンテンツ・サーバ
１１５  インターネット
１２０  フォトアルバム・サーバ
２０１  ＣＰＵ
２０２  ＲＡＭ
２０４  表示部
２０５  ＵＩ部
２０６  無線通信部
２０７  ストレージ
【図１】
2008187460.tif 000003
【図２】
2008187460.tif 000004
【図３】
2008187460.tif 000005
【図４】
2008187460.tif 000006
【図５】
2008187460.tif 000007
【図６】
2008187460.tif 000008
【図７】
2008187460.tif 000009
【図８】
2008187460.tif 000010
【図９】
2008187460.tif 000011
【図１０】
2008187460.tif 000012
【図１１】
2008187460.tif 000013
【図１２】
2008187460.tif 000014
【図１３】
2008187460.tif 000015
【図１４】
2008187460.tif 000016
【図１５】
2008187460.tif 000017
【図１６】
2008187460.tif 000018
【図１７】
2008187460.tif 000019